(57)【要約】【課題】厚物の木製板材の表面化粧材として装飾材と磁性体を積層することによって、磁性装飾材に、意匠性の化粧表装材とで積層して、マグネットが強力に吸着できる化粧板材の提供に関するものである。【解決手段】２．０ｍｍ〜５０.０ｍｍ厚さの板材の片面、又は両面にマグネット体を吸着させることができる、当該化粧板材において、４０μｍ〜１００μｍの厚さのスチール箔を両サイドにして、中央部に紙、又は木材、又は無機質ボードを挟んだサンドイッチ状の多層積層体であって、前記多層材同士を接着剤によって貼着する事もでき、表面、裏面のスチール箔に表面には、生地色から濃厚色、又は自然素材の木質の質感をもつ模様を施した０.０３ｍｍ〜０.２ｍｍの紙体、又は樹脂フイルム、又は突板を貼着させた化粧板に強力な磁気吸着力を発揮させる強磁性体をもつ化粧板でなっている装飾性マグネット吸着多層化粧板である。【選択図】図１
2018099844.tif 000002
【特許請求の範囲】
【請求項１】
装飾性マグネット吸着多層化粧板は表面から順に化粧薄材からなる表装材と厚さ４０〜１００μｍの磁性体のスチール箔を貼着させ、次に紙、又は板材料を貼着させ更に裏面に厚さ４０〜１００μｍの磁性体のスチール箔を貼着させ最終裏面に化粧薄材を貼着させて強力な磁気吸着力を発揮させる強磁性体をもつ化粧板でなっていることを特徴とする装飾性マグネット吸着多層化粧板。
【請求項２】
前記板材料は、無垢材、或いはパーチクルボード、或いはＭＤＦ，或いはフラッシュボード或いは無機質ボードであって、前記表装材は生地色から濃厚色、又は自然素材の木質の質感をもつ模様を施した０.０３ｍｍ〜０.２ｍｍの紙体、又は樹脂フイルム、又は突板を貼着させたスチール箔をサンドイッチ状の多層積層体にする事によってマグネットの吸着性能を向上することを特徴とする請求項１に記載の装飾性マグネット吸着多層化粧板。
【請求項３】
前記スチール箔の間に前記材料を介在して多層積層体にする事によって、強磁性体のスチール箔厚材よりも大幅に刃物での切削性、加工性を向上させ、スチール箔をサンドイッチ状の多層積層体にする事によって板全体の剃りが大きく軽減できる効果によって装飾性マグネット吸着多層化粧板同士を貼り合わせができる事を特徴とする請求項１、又は請求項２に記載の装飾性マグネット吸着多層化粧板。
【発明の詳細な説明】
【技術分野】
【０００１】
本発明は、壁面基体の表面に吸着できる強磁性体からなる、無機質の不燃板材料、又は有機質の木製板材料との積層体とからなる、磁気吸着力を持つマグネットを貼着して用いられる化粧材に関するものであって、詳しくは、磁性体の積層によりマグネットの吸着性と加工性を向上できる表面装飾性化粧板に関するものである。
【背景技術】
【０００２】
磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。
【０００３】
硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。
【０００４】
従って、無機質材及び有機質材に磁性材をサンドイッチ積層して表装材を貼着して、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】
住宅の内装壁面、部屋内の扉、或いは家具に関して、マグネットなどを強力に吸着させる技術を用いた厚物の木材及び不燃化粧材を使用する場合がある、とくに使用条件では特定の材質で特定の厚み以上のものを用いる必要性が生じている。市場の要望は、壁面以外に部屋の装飾、扉、家具類にその特定条件を緩和した条件のものでも使用できる磁性厚物材を求められている。具体的には、磁性面材に、市販の表装材として積層した磁性壁装材に磁性体であるマグネットなどを強力に吸着させた上に加工性で優れている化粧厚板材の要望でもある。
【０００７】
磁性体が吸着して、種々のものを貼り合わせることにも適合したものを、簡単に装飾板面に強力に貼り合わせることができることになる。そこで、本発明は、マグネットを簡単に強力に壁面に吸着できるようになって、この不都合を解消させることを課題とする。
【課題を解決するための手段】
【０００８】
２．０ｍｍ〜５０.０ｍｍ厚さの化粧板材の片面、又は両面にマグネット体を吸着させる
ことができる、当該化粧板材において、４０μｍ〜１００μｍの厚さのスチール箔を両サイドにして、中央部に紙、又は木材、又は樹脂フイルムを挟んだサンドイッチ状の多層積層体をであって、前記多層材同士を接着剤によって貼着する事もでき、表面、裏面のスチール泊に表面には、生地色から濃厚色、又は自然素材の木質の質感をもつ模様を施した０.０３〜０.２ｍｍの紙体、又は樹脂フイルム、又は突板を貼着させた化粧板に強力な磁気吸着力を発揮させる強磁性体をもつ化粧板になっている装飾性マグネット吸着多層化粧板である。
【０００９】
２．０ｍｍ〜５０.０ｍｍ厚さの板材料は、無垢材、或いはパーチクルボード、或いはＭＤＦ，或いはフラッシュボード或いは無機質ボードであって、前記のスチール箔によりサンドイッチ状の多層積層体にする事によってマグネットの吸着性能を向上させて、更に金属と木質を多層複合する事で切削、切断性も優れた結果が出た装飾性マグネット吸着多層化粧板である。
【００１０】
化粧板表面の磁力を向上させて、化粧板の加工操作性も増すために、４０μｍ〜１００μｍの厚さのスチール箔を積層して、前記スチール箔の中央部に紙、又は木材或いは無機質材を挟んだサンドイッチ型の構造にしたスチール箔の多重構造になっている積層体の板面の片面、又は両面にはウレタン樹脂系、又はエチレン酢ビ系、又はエポキシ系、或いはＰＵＲホットメルト系接着剤によって貼りつけている。
【００１１】
化粧板にマグネットを貼着できる装飾性化粧板における表面の表装材には、生地色から濃厚色、又は自然素材の木質の質感をもつ模様を施した０.０３ｍｍ〜０.２ｍｍの紙体、又は突板、又は樹脂フイルムを貼着させた化粧板に強力な磁気吸着力を発揮させる為、前記スチールの多層体により強磁性体をもつ化粧板になった。
【発明の効果】
【００１２】
本発明は強磁性体である、表裏のスチール箔との間に木材や紙材或いは無機質材等不燃材料の非磁性体とを介在さす事でマグネットの強い吸着力が得られ、金属であるスチール箔であっても切削、切断性はスチール箔一層の時と変わらずに優れている、又、スチール箔の表裏により板全体の剃りが大きく軽減出来た、この効果によって化粧板材の厚みも厚く出来ることから、磁性体のマグネットを強力に吸着できる厚物木製材料を得ることができた。
【図面の簡単な説明】
【００１３】
【図１】装飾性マグネット吸着多層化粧板表面図
【図２】装飾性マグネット吸着多層化粧板の断面図
【図３】装飾性マグネット吸着多層化粧板の表面の模様の図
【図４】装飾性マグネット吸着多層化粧板を内装壁に用いて用具を取り付けた状態図
【図５】装飾性マグネット吸着多層化粧板を家具の扉に用いてマグネットシートをつけた状態図
【発明を実施するための形態】
【００１４】
以下、本発明の実施の形態を図に沿って説明する。
図１は、装飾性マグネット吸着多層化粧板面図、図２は、装飾性マグネット吸着多層化粧板の断面図、図３は、装飾性マグネット吸着多層化粧板の表面の模様の図、図４は、装飾性マグネット吸着多層化粧板に用具を取り付けた状態図、図５を装飾性マグネット吸着多層化粧板にマグネットシートをつけた状態図を示した。これによって実施例を詳細に説明する。
【実施例１】
【００１５】
（内装壁）
壁面基体に貼り付ける装飾性マグネット吸着多層化粧板において、表面から順に表装材には、自然素材の木質の質感をもつ０．１５ｍｍの突板を使用して、その裏に厚さ５０μmの磁気吸着力を有するスチール箔を貼りその裏に木製板材料を接着により積層して、更にその裏に厚さ５０μm磁気吸着力を有するスチール箔を貼り、最終裏面に６０μｍの強化シート貼っている。
【００１６】
突板である表装材は、厚みを０．１５ｍｍの突板として木目、又は節をもって色彩の異なる種類の木材の突板にした。磁気吸着力を持つスチール箔は、強力な磁気吸着力を発揮させる強磁性体として、平面平滑性を持つ５０ミクロンの厚さで、９３０ｍｍの幅のものを使用し、木製板材料は、合板から選ばれたものであって、平滑性がある板材を使用した。
【００１７】
表装材とスチール箔と木質材料との積層体を貼り合わせる接着剤は、ウレタン樹脂系接着剤であって、各表面に塗布して接着した。
【００１８】
壁面の表面を、装飾を持たせ、さらに種々の磁性体をもつ器具を吸着させるために、磁性壁面材を積層または塗布した磁性壁面材にマグネットを簡単に貼着でき、木製板材料の表裏に強磁性体であるスチール箔をサンドイッチ状にしている為、幅９１０ｍｍ、長さ２４５０ｍｍの形状で、板全体の剃りがほとんど無いボード状体になった。
【００１９】
壁面基体に張り付けられた装飾性化粧板にマグネット体を更に強く吸着させることができるには、木製板材料の表裏に強磁性体であるスチール箔をサンドイッチ状にして、表装、裏面を化粧する事で装飾性マグネット吸着多層化粧板には更に強力にマグネットが吸着している。
【実施例２】
【００２０】
（内装壁）
壁面基体に貼り付ける装飾性マグネット吸着多層化粧板において、表面から順に表装材には、生地色から濃厚色、又は自然素材の木質の質感をもつ模様を施した０．２ｍｍ厚さの紙体であって、その裏に厚さ５０μmの磁気吸着力を有するスチール箔を貼りその裏に無機質の不燃ボードを接着により積層して、更にその裏に厚さ５０μm磁気吸着力を有するスチール箔を貼り、最終裏面に６０μｍの強化シート貼っている。
【００２１】
木質をプリントした紙体である表装材は、厚みを０．２ｍｍで、木目、又は節をもって色彩の異なる木質をプリントした紙体であった。磁気吸着力を持つスチール箔は、強力な磁気吸着力を発揮させる強磁性体として、平面平滑性を持つ５０ミクロンの厚さで、９３０ｍｍの幅のものを使用し、無機質の不燃ボードは、不燃材から選ばれたものであって、平滑性がある無機質板材を使用した。
【００２２】
表装材とスチール箔と無機質板材料との積層体を貼り合わせる接着剤は、ウレタン樹脂系接着剤であって、各表面に塗布して接着した。
【００２３】
壁面基体の表面を、装飾を持たせ、さらに種々の磁性体をもつ器具を吸着させるために、磁性壁面材を積層または塗布した磁性壁面材にマグネットを簡単に貼着でき、木製板材料の表裏に強磁性体であるスチール箔をサンドイッチ状にしている為、幅９１０ｍｍ、長さ２４５０ｍｍの形状で、板全体の剃りがほとんど無いボード状体になった。
【００２４】
壁面基体に張り付けられた装飾性化粧板にマグネット体を更に強く吸着させることができるには、不燃無機質板材料の表裏に強磁性体であるスチール箔をサンドイッチ状にして、表装、裏面を化粧する事で装飾性マグネット吸着多層化粧板には更に強力にマグネットが吸着している。
【実施例３】
【００２５】
（家具の扉）
壁面基体に貼り付ける装飾性マグネット吸着多層化粧板において、表面から順に表装材には、生地色から濃厚色、又は自然素材の木質の質感をもつ模様を施した樹脂フイルムであって、その裏に厚さ５０μmの磁気吸着力を有するスチール箔を貼りその裏に木製板材料を接着により積層して、更にその裏に厚さ５０μm磁気吸着力を有するスチール箔を貼り、最終裏面に６０μｍの強化シート貼っている。
【００２６】
樹脂フイルムとして、無地、又は自然素材の木質の質感をもつ模様の入った柄、又は白色のプリントされた樹脂フイルムであった。磁気吸着力を持つスチール箔は、強力な磁気吸着力を発揮させる強磁性体として、平面平滑性を持つ５０ミクロンの厚さで、９３０ｍｍの幅のものを使用し、木製板材料は、ＭＤＦから選ばれたものであって、平滑性がある板材を使用した。
【００２７】
表装材とスチール箔と木質材料との積層体を貼り合わせる接着剤は、ウレタン樹脂系接着剤であって、各表面に塗布して接着した。
【００２８】
壁面の表面を、装飾を持たせ、さらに種々の磁性体をもつ器具を吸着させるために、磁性壁面材を積層または塗布した磁性壁面材にマグネットを簡単に貼着でき、木製板材料の表裏に強磁性体であるスチール箔をサンドイッチ状にしている為、幅９１０ｍｍ、長さ１８２０ｍｍの形状で、板全体の剃りがほとんど無いボード状体になった。この化粧板を家具の表面、側面に使用した。家具の側面に書類などをマグネットによって貼ることができた。
【００２９】
壁面として張り付けられた装飾性化粧板にマグネット体を更に強く吸着させることができるには、木製板材料の表裏に強磁性体であるスチール箔をサンドイッチ状にして、表装、裏面を化粧する事で装飾性マグネット吸着多層化粧板には更に強力にマグネットが吸着している。
【符号の説明】
【００３０】
１   多層積層体（装飾性マグネット吸着多層化粧板）
２  磁石体
３  化粧表装材、
４   接着剤
５   スチール箔
６  木板材、無機板材、紙、樹脂フイルム
７   裏面部表装材
８   マグネットシート
９   マグネットハンガー掛け
１０ マグネット物置棚
１１ マグネットホルダー
１２ 家具の扉
１１ 内装壁
【図１】
2018099844.tif 000003
【図２】
2018099844.tif 000004
【図３】
2018099844.tif 000005
【図４】
2018099844.tif 000006
【図５】
2018099844.tif 000007